(57)【要約】【課題】金属サイディング材が組み付けられる建物の壁面の所望の位置に、様々な取付部材を容易に取り付けることができる機能性に優れた壁面部材を提供すること。【解決手段】矩形の基板部２と、この基板部２の一端部に配設され、前記金属サイディング材の一方の端部の凹部と嵌合可能な凸部３３を備えた第１の支持部３と、この第１の支持部３が設けられた一端部と対向する前記基板部２の他の端部に配設され、前記金属サイディング材の他方の端部の凸部と嵌合可能な凹部４２を備えた第２の支持部４と、前記基板部２から突出し、前記第１の支持部３側または前記第２の支持部４側へ屈曲する係止部５とを備え、前記第１の支持部３の凸部３３と前記第２の支持部４の凹部４２は、相補的な形状である壁面部材１とする。【選択図】図１
2012112132.tif 000002
【特許請求の範囲】
【請求項１】
対向する２つの端部のうちの一方の端部に凹部が形成され、他方に前記凹部と凹凸嵌合可能な凸部が形成され、凹部と凸部の凹凸嵌合によって連結可能な２つの金属サイディング材同士の間に取り付け可能な壁面部材であって、
矩形の基板部と、
この基板部の一端部に配設され、前記金属サイディング材の一方の端部の凹部と嵌合可能な凸部を備えた第１の支持部と、
この第１の支持部が設けられた一端部と対向する前記基板部の他の端部に配設され、前記金属サイディング材の他方の端部の凸部と嵌合可能な凹部を備えた第２の支持部と、
前記基板部から突出し、前記第１の支持部側または前記第２の支持部側へ屈曲する係止部と
を備え、前記第１の支持部の凸部と前記第２の支持部の凹部は、相補的な形状であることを特徴とする壁面部材。
【請求項２】
前記係止部は、前記第１の支持部または前記第２の支持部が設けられている前記基板部の端部と略平行方向に延びており、前記第１の支持部と前記第２の支持部の間に複数列配設されていることを特徴とする請求項１に記載の壁面部材。
【請求項３】
対向する２つの端部のうちの一方に凹部が形成され、他方に前記凹部と凹凸嵌合可能な凸部が形成され、凹部と凸部の凹凸嵌合によって連結可能な２つの金属サイディング材の間に、請求項１または２に記載の壁面部材が挿入されて、壁面下地に沿って上下に組み付けられている壁面構造であって、
前記金属サイディング材の一方の端部の凹部と前記壁面部材の前記第１の支持部の凸部とが嵌合し、前記金属サイディング材の他方の端部の凸部と前記壁面部材の前記第２の支持部の凹部とが嵌合し、前記壁面部材の前記係止部が上向きに配置されていることを特徴とする壁面構造。  
【請求項４】
２つ以上の前記壁面部材が、前記第１の支持部と前記第２の支持部との嵌合によって、上下方向に連結していることを特徴とする請求項３に記載の壁面構造。
【請求項５】
下向きに屈曲する屈曲片を備えた取付部材が、前記壁面部材の係止部に前記屈曲片が係止され、前記基板部の前方に取り付けられていることを特徴とする請求項３または４に記載の壁面構造。
【発明の詳細な説明】
【技術分野】
【０００１】
本発明は、壁面部材および壁面構造に関する。
【背景技術】
【０００２】
例えば特許文献１に記載されているように、住宅等の建物の壁面には、金属表面材にポリウレタンフォーム等の発泡樹脂等を貼り着けた金属サイディング材が壁面下地に沿って上下左右に組み付けられている場合がある。このような金属サイディング材は、対向する上端部および下端部の各々に、凹部と凸部（雌実、雄実）が設けられており、この凹部と凸部を嵌合させることで、複数の金属サイディング材を上下方向に連結させている。
【０００３】
一方、近年の地球環境保護、建物のデザイン性の観点から、いわゆる壁面緑化が注目されている。特に、都市部を中心として、ヒートアイランド現象の緩和等のために、建物の壁面緑化が推奨されている。また、近年のガーデニングブームの高まりに伴って、建物の壁面に植物を配置して楽しむことも行われている。
【先行技術文献】
【特許文献】
【０００４】
【特許文献１】特開２００６−２０７１３７号公報
【発明の概要】
【発明が解決しようとする課題】
【０００５】
しかしながら、金属サイディング材は、表面に模様としての凹凸はあるものの、全体としては起伏の少ない略フラットな表面に形成されている。このため、壁面下地に組み付けられた金属サイディング材の適宜位置に、例えばプランター等を引っ掛ける等して配置することは容易ではなかった。また、プランター等を配置する場合に、別途、棚等を設けることも考えられるが、金属サイディング材に対して棚等を安定的に取り付けることは容易ではなかった。
【０００６】
本発明は、以上のとおりの事情に鑑みてなされたものであり、金属サイディング材が組み付けられる建物の壁面の所望の位置に、例えば棚等の様々な取付部材を容易に取り付けることができる機能性に優れた壁面部材および壁面構造を提供することを課題としている。
【課題を解決するための手段】
【０００７】
上記の課題を解決するために、本発明の壁面部材は、対向する２つの端部のうちの一方の端部に凹部が形成され、他方に前記凹部と凹凸嵌合可能な凸部が形成され、凹部と凸部の凹凸嵌合によって連結可能な２つの金属サイディング材同士の間に取り付け可能な壁面部材であって、矩形の基板部と、この基板部の一端部に配設され、前記金属サイディング材の一方の端部の凹部と嵌合可能な凸部を備えた第１の支持部と、この第１の支持部が設けられた一端部と対向する前記基板部の他の端部に配設され、前記金属サイディング材の他方の端部の凸部と嵌合可能な凹部を備えた第２の支持部と、前記基板部から突出し、前記第１の支持部側または前記第２の支持部側へ屈曲する係止部とを備え、前記第１の支持部の凸部と前記第２の支持部の凹部は、相補的な形状であることを特徴としている。
【０００８】
この壁面部材では、前記係止部は、前記第１の支持部または前記第２の支持部が設けられている前記基板部の端部と略平行方向に延びており、前記第１の支持部と前記第２の支持部の間に複数列配設されていることが好ましい。
【０００９】
本発明の壁面構造は、対向する２つの端部のうちの一方に凹部が形成され、他方に前記凹部と凹凸嵌合可能な凸部が形成され、凹部と凸部の凹凸嵌合によって連結可能な２つの金属サイディング材の間に、前記壁面部材が挿入されて、壁面下地に沿って上下に組み付けられている壁面構造であって、前記金属サイディング材の一方の端部の凹部と前記壁面部材の前記第１の支持部の凸部とが嵌合し、前記金属サイディング材の他方の端部の凸部と前記壁面部材の前記第２の支持部の凹部とが嵌合し、前記壁面部材の前記係止部が上向きに配置されていることを特徴としている。  
【００１０】
この壁面構造では、２つ以上の前記壁面部材が、前記第１の支持部と前記第２の支持部との嵌合によって、上下方向に連結していることが好ましい。
【００１１】
この壁面構造では、下向きに屈曲する屈曲片を備えた取付部材が、前記壁面部材の係止部に前記屈曲片が係止され、前記基板部の前方に取り付けられていることが好ましい。
【発明の効果】
【００１２】
本発明の壁面部材および壁面構造によれば、金属サイディング材が組み付けられる建物の壁面の所望の位置に、様々な取付部材を容易に取り付けることができる。
【図面の簡単な説明】
【００１３】
【図１】本発明の壁面部材の一実施形態を例示した斜視図である。
【図２】本発明の壁面部材および壁面構造の一実施形態を例示した断面図およびＡ部、Ｂ部の拡大図である。
【図３】本発明の壁面構造の別の実施形態を例示した断面図およびＣ部の拡大図である。
【図４】本発明の壁面部材に取付部材が取り付けられた状態を例示した断面図である。
【図５】本発明の壁面部材に取付部材が取り付けられた状態を例示した斜視図である。
【図６】（Ａ）（Ｂ）は、本発明の壁面部材に取り付けられる取付部材の形態を例示した斜視図である。
【発明を実施するための形態】
【００１４】
図１は、本発明の壁面部材の一実施形態を例示した斜視図である。
【００１５】
壁面部材１は、矩形で略平板状の基板部２を有している。基板部２の一方の端部には、第１の支持部３が設けられており、対向する他方の端部には、第２の支持部４が設けられている。壁面部材１を施工した状態においては、壁面部材１の上端部に第１の支持部３、下端部に第２の支持部４が配置される。第１の支持部３および第２の支持部４は、壁面部材１の各端部に沿って設けられている。
【００１６】
基板部２の表面側からは、第１の支持部３側へ屈曲する断面略Ｌ字状の係止部５が複数突出して設けられている。係止部５は、第１の支持部３が設けられている上端部または第２の支持部４が設けられている下端部と略平行方向に延びており、第１の支持部３と第２の支持部４の間に上下に複数列配設されている。係止部５は、壁面部材１が施工された状態においては、上向きに屈曲した状態となる。
【００１７】
壁面部材１の材料は、樹脂や金属等の材料から適宜選択することができる。
【００１８】
さらに、図１に加え、図２を用いて本発明の壁面部材について説明する。図２は、本発明の壁面部材および壁面構造の一実施形態を例示した断面図およびＡ部、Ｂ部の拡大図である。
【００１９】
壁面部材１は、壁面下地Ｗに組み付けられた金属サイディング材６同士の上下間に挿入されて連結して取り付けられている。壁面部材１の縦長さ、横長さは、金属サイディング材６の縦長さ、横長さと略等しく設計されている。
【００２０】
壁面部材１と連結する金属サイディング材６は、断熱材で構成される芯材６１の表面を金属表面材６２で被覆したパネル状に形成されている。金属サイディング材６は、前面側において、例えばタイル状の凹凸模様等の所望の模様が付与されたものとすることができる。
【００２１】
金属表面材６２としては、例えば、鋼板、アルミニウム板、銅板等や、これらに亜鉛やニッケル等を含有させた合金板等を例示することができる。金属表面材６２は、ロール成形やプレス成形によって加工することで所望の模様を付与することができる。また、芯材６１としては、ポリウレタンフォーム、ポリスチレンフォーム、ポリエチレンフォーム等の発泡樹脂、ロックウール、ガラスウール、石膏ボード等の一般に断熱材料として用いられている材料を例示することができる。
【００２２】
金属サイディング材６は、対向する端部のうち、一方の端部に凹部６aが形成され、他方の端部に凸部６bが形成されている。具体的には、図２に例示した形態では、金属サイディング材６を壁面下地Ｗに組み付けた状態において、金属サイディング材６の上端部に凸部６bが形成され、下端部に凹部６aが形成されている。この凹部６aと凸部６bは、互いに凹凸嵌合可能に設計されている。したがって、複数の金属サイディング材６を上下に配置し、凹部６aが設けられた上端部と、凸部６bが設けられた下端部とを向かい合わせ、凹部６aと凸部６bとを凹凸嵌合させることで、金属サイディング材６は壁面下地Ｗに沿って上下に組み付けられる。この際、金属サイディング材６の凹部６aと凸部６bの間には、適宜パッキン等を介在させることもできる。
【００２３】
さらに、金属サイディング材６の上端部には、背面側（壁面下地Ｗ側）に、金属表面材６２の一部を突出させた固定片６cが形成されている。この固定片６ｃは、屋外側から釘などの固定具を壁面下地Ｗに打ち込んで金属サイディング材６を壁面下地Ｗに固定する部位であり、凸部６bよりもその突出長さが長く形成されている。
【００２４】
図２のＡ部に示したように、壁面部材１の第１の支持部３は、基板部２の上端部から背面部３１および水平部３２が延設され、この水平部３２に凸部３３が設けられている。
【００２５】
第１の支持部３の背面部３１は、基板部２と同一平面上に延設されている。第１の支持部３の水平部３２は、基板部２および第１の支持部３の背面部３１に対して略直角に延設されている。壁面部材１の施工状態においては、第１の支持部３の背面部３１は、略垂直に配置され、金属サイディング材６の下端部の背面側と当接し、第１の支持部３の水平部３２は、前方へ向かって水平に突出している。
【００２６】
第１の支持部３の水平部３２の突出長さは、金属サイディング材６の厚さに対応している。このため、壁面部材１上端部と連結する金属サイディング材６の下端部は、第１の支持部３の水平部３２から前方へはみ出すことなく、下方から安定に支持される。さらに、第１の支持部３の水平部３２の先端は下方に屈曲しており、これによって、第１の支持部３の水平部３２の強度が向上している。
【００２７】
さらに、第１の支持部３の水平部３２には、中間から上方へ向かって突出する凸部３３が設けられている。この凸部３３は、第１の支持部３の水平部３２から上方へ向かって起立する突条部３３aの先端に、前方下方に折り返す略コ字状の湾曲部３３bが設けられて形成されている。第１の支持部３の凸部３３の突出長さは、金属サイディング材６の下端部の凹部６aの溝深さに対応している。第１の支持部３の凸部３３の幅（突条部３３aから湾曲部３３bまでの水平方向長さ）は、金属サイディング材６の下端部の凹部６aの溝幅に対応している。したがって、第１の支持部３の凸部３３の突条部３３aと湾曲部３３bは、金属サイディング材６の下端部の凹部６aの内壁と当接する。このため、第１の支持部３の凸部３３と金属サイディング材６の下端部の凹部６aは確実に嵌合し、金属サイディング材６の下端部が安定に支持されている。
【００２８】
第１の支持部３の背面部３１と凸部３３との間には上方に開口する溝部３４が形成されている。この溝部３４の幅は、金属サイディング材６の凹部６aの背面側の一端６dの厚さと略等しく設計されている。このため、金属サイディング材６の凹部６aの背面側の一端６dが溝部３４の内部に入り込んで保持されることで、金属サイディング材６の下端部がさらに安定に支持されている。
【００２９】
図２のＢ部に示したように、第２の支持部４は、基板部２から下方へ延設される垂直部４１と、この垂直部４１の下端部から延設された下向きの凹部４２とを備えている。
【００３０】
第２の支持部４の垂直部４１は、基板部２よりも一段前方へ突出して下方へ延設されている。このため、壁面部材１の下端部と金属サイディング材６の上端部とが連結した状態では、金属サイディング材６の固定片６ｃは、第２の支持部４の垂直部４１の背面側に配置され、壁面部材１の基板部２の背面と固定片６ｃの背面とが略フラットになっている。したがって、壁面下地Ｗに対して、壁面部材１およびこれと連結する金属サイディング材６を安定に取り付けることができる。
【００３１】
第２の支持部４の凹部４２は、垂直部４１から下方向に延設された内側部４２aと、垂直部４１から外側水平方向に延設された中間部４２bと、この中間部４２bから下方に延設されて内側部４２aと平行に設けられた外側部４２cとによって凹溝状に形成されている。第２の支持部４の凹部４２の溝深さは、金属サイディング材６の凸部６bの突出長さに対応しており、第２の支持部４の凹部４２の溝幅（内側部４２aと外側部４２cの間隔）は、金属サイディング材６の凸部６bの幅に対応している。このため、第２の支持部４の凹部４２の内部に金属サイディング材６の上端部の凸部６bが挿入されると、金属サイディング材６の上端部の凸部６bは、内側部４２a、中間部４２bおよび外側部４２cの内面と当接する。これによって、第２の支持部４の凹部４２と金属サイディング材６の上端部の凸部６bとは確実に嵌合し、金属サイディング材６の上端部が安定に支持されている。
【００３２】
また、第２の支持部４の凹部４２を形成する内側部４２aは、先端が背面側上方に向かって折り返している。この内側部４２aの先端の幅（厚さ）は、金属サイディング材６の固定片６ｃと凸部６bとの間の溝部６eと略等しく設計されている。このため、第２の支持部４の凹部４２を形成する内側部４２aは、この溝部６eに挿入されて保持され、金属サイディング材６の上端部が安定に支持される。
【００３３】
図３は、本発明の壁面構造の別の実施形態を例示した断面図およびＣ部の拡大図である。図２で示したＡ部及びＢ部に関する説明は省略する。
【００３４】
壁面部材１の第１の支持部３の凸部３３と第２の支持部４の凹部４２とは、互い相補的な形状であり、両者が嵌合可能に設計されている。このため、壁面部材１は、互いに上下に連結して金属サイディング材６の間に取り付けることができる。
【００３５】
第１の支持部３の凸部３３の突出長さは、第２の支持部４の凹部４２の溝深さに対応している。さらに、第１の支持部３の凸部３３の幅（突条部３３aから湾曲部３３bまでの水平方向長さ）は、第２の支持部４の凹部４２の溝幅（内側部４２aと外側部４２cの間隔）に対応している。このため、第１の支持部３の凸部３３と第２の支持部４の凹部４２とは確実に嵌合し、壁面部材１同士を上下に連結させることができる。
【００３６】
さらに、第１の支持部３の背面部３１と第１の支持部３の凸部３３の間の溝部には、第２の支持部４の凹部４２を形成する内側部４２aが挿入されている。この内側部４２aの先端は、背面側上方に折り返し形成されているため、溝部の内部に確実に保持され、壁面部材１同士が安定に連結している。
【００３７】
また、第１の支持部３の背面部３１は、第２の支持部４の垂直部４１の背面側に配置され、壁面部材１同士は、背面が略フラットな状態で連結している。したがって、上下に連結した状態の壁面部材１は、壁面下地Ｗに対して安定に取り付けることができる。
【００３８】
このように、壁面部材１は、第１の支持部３の凸部３３と第２の支持部４の凹部４２とを嵌合させることで、２つの金属サイディング材６同士の間の適宜位置に、１または２以上取り付けることができる。そして、取り付けられた壁面部材１の係止部５を利用して建物の壁面に、例えば、棚や、フック等の所望の取付部材を容易に取り付けることができる。
【００３９】
図４は、本発明の壁面部材に取付部材が取り付けられた状態を例示した断面図である。図５は、本発明の壁面部材に取付部材が取り付けられた状態を例示した斜視図である。図１と共通する部分には、同一の符号を付し、以下では説明を省略する。また、図４、図５においては、壁面部材の上下に配置される金属サイディング材または別の壁面部材の図示を省略している。
【００４０】
取付部材７は、固定部７１と、この固定部７１から略直角方向に延設された棚部７２とを有している。固定部７１の背面には、上端部から下端部の付近に亘って所定間隔で、下向きに屈曲する断面略Ｌ字状の屈曲片７３が複数設けられている。固定部７１の背面と屈曲片７３との間に形成されている溝に、壁面部材１の係止部５の先端が挿入されて、壁面部材１の係止部５に取付部材７の屈曲片７３が各々係止されている。これによって、取付部材７の固定部７１が壁面部材１の基板部２と対峙して垂直に起立し、棚部７２は略水平となるように取付部材７が取り付けられている。したがって、この棚部７２には、例えば、プランター等を置くことができ、壁面緑化やガーデニング等に利用することができる。
【００４１】
図４、図５に例示した形態では、取付部材７の屈曲片７３は、棚部７２より上方に３つ、下方に１つ設けられている。例えば、棚部７２に重いものを載置する場合には、棚部７２に重力方向への力が強く加わるため、壁面部材１からの取付部材７の脱落を抑制するために、棚部７２より上方に多くの屈曲片７３が設けられている。
【００４２】
また、取付部材７は、壁面部材１の係止部５に係止可能な屈曲片７３を備えていればよく、図４、図５に例示した形態以外にも様々な取付部材７を本発明の壁面部材に取り付けることができる。例えば、図６（Ａ）に例示した取付部材７では、固定部７１の上端部と下端部の背面側に下向きに屈曲する屈曲片７３が１つずつ設けられている。この屈曲片７３は、図１等に示した壁面部材１の係止部５のうち、最上部の係止部５と、最下部の係止部５に係止されるように設計されており、壁面部材１への取付部材７の取り付けを可能としている。２つのうち下方の屈曲片７３は、固定部７１の下端部末端から延設されており、壁面部材１の最下部の係止部５がこの屈曲片７３を表面側から当接保持する構造となっている。そして、取付部材７の固定部７１からは略直角に突出片７４が設けられており、この突出片７４に、フック部材７５が取り付けられている。フック部材７５は、断面略コ字状の基部７５aが、その内部に突出片７４を挟持することで取り付けられている。そして、フック部材７５の基部７５aからは、開口部を有する引っ掛け部７５bが側方へ向かって配設されている。例えば、この引っ掛け部７５bの開口部を利用することで、植物を植えたプランター８等を吊り下げることができる。
【００４３】
図６（Ｂ）に例示した取付部材７では、固定部７１の上端部と下端部の背面側に下向きに屈曲する屈曲片７３が設けられている。この屈曲片７３も、図１等に示した壁面部材１の係止部５のうち、最上部の係止部５と、最下部の係止部５に係止されるように設計されている。固定部７１の背面と屈曲片７３との間に形成されている溝に、壁面部材１の係止部５の先端が挿入されて、壁面部材１の係止部５に取付部材７の屈曲片７３が取り付けられる構造になっている。さらに、この固定部７１の上端部からは前方へ突出して上方向に起立する起立片７６が設けられ、固定部７１の下端部付近からは前方へ突出して下方向に垂下する垂下片７７が設けられている。そして、この起立片７６と垂下片７７の前面側には、タイル模様の板材７８が設けられている。この板材７８の上端部および下端部は、起立片７６の上端部と垂下片７７の下端部を外側から巻き込むようにして取り付けられている。壁面部材１にこの取付部材７を取り付けることで、壁面部材１の表面側にタイル模様を表すことができる。
【００４４】
本発明の壁面部材および壁面構造は、以上の形態に限定されるものではない。例えば、第１の支持部、第２の支持部の形状、係止部の形状や配設数は適宜設計することができる。
【符号の説明】
【００４５】
１  壁面部材
２  基板部
３  第１の支持部
３３  凸部
４  第２の支持部
４２  凹部
５  係止部
６  金属サイディング材
６a  凹部
６b  凸部
７  取付部材
７３  屈曲片
【図１】
2012112132.tif 000003
【図２】
2012112132.tif 000004
【図３】
2012112132.tif 000005
【図４】
2012112132.tif 000006
【図５】
2012112132.tif 000007
【図６】
2012112132.tif 000008